(57)【要約】【課題】像担持体上に現像パターンを形成したものを版として用いることで安定した画質を得ることが可能な現像装置を提供する。【解決手段】第１担持体１の周辺には矢印で示す回転方向の順に補給装置１４、単層化装置１３がそれぞれ配設され、単層化装置１３よりさらに回転下流側で第２担持体２に当接している。第２担持体２の表面は、撥水性であり、かつ、温度によって硬度と粘着力を変化させる材料が設けられている。信号に従いサーマルヘッド３に加熱された部分の単層粒子層１１ｂは、第２担持体２の表面に受け渡されて版粒子パターンを形成する。【選択図】図２
2012131062.tif 000002
【特許請求の範囲】
【請求項１】
版粒子を表面に担持する第１担持体と、
前記第１担持体と前記版粒子を介して当接し、第１の転移温度以上で粘着力を生じる感応性粘着材料を表面に有する第２担持体と、
前記第２担持体の表面の前記感応性粘着材料を前記第１の転移温度以上に加熱して潜像を書き込み、前記第２担持体に書き込んだ潜像の上に前記版粒子を粘着させて現像するための加熱書込ヘッドとを備える、現像装置。
【請求項２】
前記第１担持体は、前記版粒子を表面の粘着力で担持し、前記第１の転移温度以下の第２の転移温度以上で粘着力を低減する感温性粘着材料を表面に有し、
前記加熱書込ヘッドは、前記第１担持体を前記第２の転移温度以上に加熱して、前記版粒子への粘着力を低減し、前記第２担持体を前記第１の転移温度以上に加熱して前記粒子への粘着力を生じさせ、前記第２担持体の粘着力を前記第１担持体の粘着力より大きくすることにより前記版粒子を前記第１担持体から前記第２担持体表面に粘着移動させる、請求項１に記載の現像装置。
【請求項３】
前記第１担持体に担持された版粒子を単層化するための単層化手段をさらに備える、請求項１または２に記載の現像装置。
【請求項４】
請求項１〜３のいずれかに記載の現像装置における前記第２担持体の表面上に着色剤を供給する着色剤供給手段と、
前記着色剤供給手段によって前記第２担持体の表面に付着した着色剤を記録媒体へ転写する転写手段とを備える、画像形成装置。
【請求項５】
前記第２担持体の表面に水を含む液体である湿し水を供給する湿し水供給手段をさらに備え、
前記版粒子の表面は、前記第２担持体の表面よりも高い親水性を有し、
前記第２担持体上に付着した版粒子に湿し水を含ませることで、画像部と非画像部の親水性コントラストを形成する、請求項４記載の画像形成装置。
【請求項６】
前記第２担持体の付着物を除去するための清掃手段をさらに備える、請求項４または５に記載の画像形成装置。
【発明の詳細な説明】
【技術分野】
【０００１】
本発明は、潜像を保持できる像担持体上に版粒子を用いて現像パターンを形成したものを版として用いる現像装置および画像形成装置に関する。
【背景技術】
【０００２】
現像されたパターンを紙などの記録用紙に画像として印刷する現像装置として様々な方式が挙げられる。高速で印刷することが実現できる方式としては、静電潜像を乾式トナーまたは湿式トナー等の着色粉体を用いて現像する電子写真方式（たとえば、特許文献１）、磁気潜像を磁性トナーを用いて現像するマグネトグラフィ方式（たとえば、特許文献２）、インクを微小液滴として吐出するインクジェット方式などが挙げられる。
【０００３】
しかしながら、これらの方式では着色粉体や微小液滴を使っているため個々の着色粉体や液滴までは制御しきれず、安定して大量の画像を高画質で印刷することは難しい。
【０００４】
また、電子写真方式では静電気という制御が難しい要素を使っていることが安定した画質を保つのをさらに難しくしている。マグネトグラフィ方式では磁性トナーを使っていることがカラー化を難しくしている。インクジェット方式では低粘度のインクしか吐出できないことで滲みやすくなったり、ヘッドの目詰まりによって画像欠損が発生したりしてしまう。
【０００５】
安定して大量の画像を高画質で印刷できる方式として、オフセット印刷方式、凸版印刷方式、グラビア印刷方式などが挙げられる。これらの印刷方式は同じ版を繰り返し使い、版に安定した量のインクを供給して印刷するので、高画質の画像を安定して大量に形成することができる。
【０００６】
しかしながら、これらの版を使った方式は一般に製版工程が複雑である。一例としてオフセット印刷に使われる版は、アルミなど親水性の支持体上に疎水性（親油性）の感光層を設け、画像情報に応じて露光、エッチングを行うことで非画像部の疎水層を除去して製版されており、工程が複雑で時間を要する。さらには版形成装置と画像形成装置とが分離しているため、版交換作業にも時間を要しており、１枚ずつ違った画像を印刷するような、いわゆるバリアブル印刷には対応できない。
【先行技術文献】
【特許文献】
【０００７】
【特許文献１】特開２００９−５１１１９号公報
【特許文献２】特開２００９−９２９４１号公報
【発明の概要】
【発明が解決しようとする課題】
【０００８】
電子写真方式、マグネトグラフィ方式、インクジェット方式などの印刷方式は、同じ版を繰り返し使うものではなくバリアブル印刷を得意としている。しかし、高画質の画像を安定して印刷することが難しい。
【０００９】
現存する画像形成方式で、安定して大量の画像を高画質で印刷することと、バリアブル印刷を両立している印刷方式はない。そのため、たとえば、大部分が同じ画像で１部分だけが１枚１枚違うようなものを安定した画質で大量に印刷しようとしたときには同じ絵柄の部分と１枚１枚違う部分とで、違う画像形成装置を使って印刷しなければならない。
【００１０】
本発明は、上記のような課題を解決するためのものであって、像担持体上に現像パターンを形成したものを版として用いることで安定した画質を得ることが可能な現像装置および画像形成装置を提供することを目的とする。
【課題を解決するための手段】
【００１１】
本発明のある局面に従う現像装置は、版粒子を表面に担持する第１担持体と、第１担持体と版粒子を介して当接し、第１の転移温度以上で粘着力を生じる感応性粘着材料を表面に有する第２担持体と、第２担持体の表面の感応性粘着材料を第１の転移温度以上に加熱して潜像を書き込み、第２担持体に書き込んだ潜像の上に版粒子を粘着させて現像するための加熱書込ヘッドとを備える。
【００１２】
好ましくは、第１担持体は、版粒子を表面の粘着力で担持し、第１の転移温度以下の第２の転移温度以上で粘着力を低減する感温性粘着材料を表面に有し、加熱書込ヘッドは、第１担持体を第２の転移温度以上に加熱して、版粒子への粘着力を低減し、第２担持体を第１の転移温度以上に加熱して粒子への粘着力を生じさせ、第２担持体の粘着力を第１担持体の粘着力より大きくすることにより版粒子を第１担持体から第２担持体表面に粘着移動させる。
【００１３】
好ましくは、第１担持体に担持された版粒子を単層化するための単層化手段をさらに備える。
【００１４】
本発明のある局面に従う画像形成装置は、上記に記載の現像装置における第２担持体の表面上に着色剤を供給する着色剤供給手段と、着色剤供給手段によって第２担持体の表面に付着した着色剤を記録媒体へ転写する転写手段とを備える。
【００１５】
好ましくは、第２担持体の表面に水を含む液体である湿し水を供給する湿し水供給手段をさらに備え、版粒子の表面は、第２担持体の表面よりも高い親水性を有し、第２担持体上に付着した版粒子に湿し水を含ませることで、画像部と非画像部の親水性コントラストを形成する。
【００１６】
好ましくは、第２担持体の付着物を除去するための清掃手段をさらに備える。
【発明の効果】
【００１７】
本発明の現像装置は、第２担持体の表面の感応性粘着材料を第１の転移温度以上に加熱して潜像を書き込み、第２担持体に書き込んだ潜像の上に版粒子を粘着させて現像するための加熱書込ヘッドとを設ける構成であり、第２担持体に現像パターンを形成したものを版として用いることで安定した画質を得ることが可能である。
【図面の簡単な説明】
【００１８】
【図１】本発明の実施の形態に従う画像形成装置１００について説明する図である。
【図２】本発明の実施の形態に従う現像装置３０の主要部の構成について説明する図である。
【図３】本発明の実施の形態に従う画像形成ユニット１００Ａの主要部の構成について説明する図である。
【図４】本発明の実施の形態に従う第２担持体２に形成された熱潜像を説明する図である。
【図５】本発明の実施の形態に従う第２担持体２の表面に形成された熱潜像の顕像化について説明する図である。
【図６】本発明の実施の形態に従う第２担持体２に付着した版粒子に湿し水を付加した状態を説明する図である。
【図７】本発明の実施の形態に従うインク供給装置５により版粒子パターンにインクを供給した場合を説明する図である。
【図８】本発明の実施の形態に従う記録用紙に転写する場合を説明する図である。
【図９】本発明の実施の形態に従う版粒子が単層化している場合と多層化している場合の粘着について説明する図である。
【図１０】本発明の実施の形態に従う単層化装置１３の具体的構成について説明する図である。
【図１１】本発明の実施の形態の変形例に従う版粒子の粘着を説明する図である。
【発明を実施するための形態】
【００１９】
本発明に基づいた各実施の形態における現像装置および画像形成装置について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。また、各実施の形態における構成を適宜組み合わせて用いることは当初から予定されていることである。
【００２０】
また、画像形成装置として、複数の画像形成ユニットを備えるフルカラー方式の画像形成装置１００を図示しているが、本発明は、フルカラー方式にのみ限定されるものではなく、モノクロ画像のみを形成する１色（ブラック等）の画像形成ユニットを採用している画像形成装置への適用も可能である。また、本発明は、小型のプリンタ、オフィス用複合機、および商業印刷を用途とする高速・大量印刷可能な画像形成装置などへの適用が可能である。
【００２１】
図１は、本発明の実施の形態に従う画像形成装置１００について説明する図である。
画像形成装置１００は、その上部側に、スキャナ５３、フィーダ５５が設けられている。フィーダ５５は原稿をスキャナ５３に送る。さらに、画像形成装置１００の上面に操作部５０が設けられている。
【００２２】
画像形成装置１００の下部側には、給紙部５８が配置され、さらに画像形成装置１００本体に付設するようにして大容量給紙部５９が配置されている。画像形成装置１００内部には、後述の画像形成ユニット１００Ａが、フルカラー画像を形成するための各色に対応して複数設けられている。給紙部５８または大容量給紙部５９から搬送された記録媒体としての用紙に画像形成ユニット１００Ａによって画像が形成される。
【００２３】
画像形成装置１００本体に付設して後処理装置５６が設置されており、画像形成がなされた用紙に所望の後処理（ステープル、パンチなど）を行えるようになっている。画像形成がなされ、必要に応じて後処理がなされた用紙はトレイ５７に排出される。
【００２４】
画像形成ユニット１００Ａは、本発明の実施の形態に従う現像装置３０を含んでいる。
以下、現像装置３０の構成について説明する。
【００２５】
図２は、本発明の実施の形態に従う現像装置３０の主要部の構成について説明する図である。
【００２６】
図２を参照して、現像装置３０は、第１担持体１と、ベルト状の版担持体である第２担持体２と、補給装置１４と、単層化装置１３と、駆動ロール２１ａ，２１ｂと、加熱書込装置の一例であるサーマルヘッド３とを含む。
【００２７】
ベルト状の版担持体である第２担持体２は、駆動ロール２１ａと駆動ロール２１ｂとに吊架して設けられ、駆動ロール２１ａによって付与される駆動力により矢印の方向に回転する。
【００２８】
第２担持体２の表面には第１担持体１が当接して設置され、第１担持体１の第２担持体２を介した対向位置にはサーマルヘッド３が第２担持体２の裏面に設置される。
【００２９】
第１担持体１の周辺には矢印で示す回転方向の順に補給装置１４、単層化装置１３がそれぞれ配設され、単層化装置１３よりさらに回転下流側で第２担持体２に当接している。
【００３０】
本例においては、断面図が示されており、図示されていないが、第１担持体１、単層化装置１３、第２担持体２、駆動ロール２１ａ、駆動ロール２１ｂ、サーマルヘッド３は実際には紙面奥側から手前側に奥行きのある形状をしている。
【００３１】
また、この紙面奥から手前側の奥行き方向を文中では長手方向と表現する。それぞれの担持体、装置、ロールの長手方向長さは、現像装置で製版される版のサイズの紙面への印刷に応じた適切な値に設定される。
【００３２】
第２担持体２の表面は、撥水性であり、かつ、転移温度を境に硬度と粘着力が急峻に変化する材料が設けられている。具体的には第２担持体２の表面材料は第１の転移温度以上で軟化し、かつ、粘着性を発現し、第１の転移温度以下で硬化し、粘着性を消失する感応性粘着材料（クールオフタイプ）である。なお、それぞれの温度領域における粘着性は、各温度領域における後述の機能を生じる程度に発現あるいは消失すればよい。このような感応性粘着材料樹脂として、例えば、ランデック社製のインテリマー（登録商標）のクールオフタイプを用いることができる。
【００３３】
第１担持体１は、付着力により版粒子を担持する。版粒子は、親水性表面を有するとともに、補給装置１４により補給される。版粒子としては、親水性表面を有し、印刷される画像に必要な所望の解像度が得られる粒子径であれば良く、例えば、平均粒子径５μｍ〜３０μｍ（より好ましくは５μｍ〜１０μｍ）の樹脂、金属酸化物等からなる粒子を用い、必要に応じて表面に親水性処理を施したものを用いることができる。
【００３４】
第１担持体１の表面は補給された版粒子を、付着漏れなく確実に表面に付着させ、第１担持体１の回転で発生する機内風や遠心力によって、付着した版粒子を脱落させるようなことがなければよく、表面に微細形状を設けてアンカー効果を付与して付着力を高めたものや、表面材料に表面エネルギーの高い材料を用いることで付着力を高めたものでもよい。
【００３５】
より好ましくは、安定して確実に補給された版粒子を付着し、脱落させることなく担持するために、より強い付着力を有する方が良く、例えば表面に粘着力を有する材料を用いることが可能である。
【００３６】
ここで、版粒子を第１担持体１に吸引する力として、他に例えば版粒子に電荷や磁化を付与し第１担持体１周辺に所望の電界や磁界を形成することにより、クーロン力や磁気吸引力を付着力の代わりに用いることも可能であるが、より好ましくは、吸引力としては接触粒子に対して作用する付着力を用いる方が好ましい。詳細な理由は後述する。
【００３７】
第１担持体１に接触した版粒子は、上記付着力により第１担持体１に担持されるが、実際には粒子間に作用する凝集力などの作用により、第１担持体１に直接接触していない版粒子も下層の版粒子に付着しあうことで、これらの粒子群は多層状に粒子が折り重なった多層粒子層１１ａを形成する。
【００３８】
多層粒子層１１ａは、第１担持体１の回転下流側で単層化装置１３により、第１担持体１に直接付着力で担持された最下層粒子を残して２層目以上の版粒子が除去され、単層粒子層１１ｂとなる。
【００３９】
単層化装置１３としては、最下層粒子を除去することなく、２層目以上の版粒子を除去することが可能であればよいが、２層目以上の版粒子が残留し、部分的に多層部があると、これら多層粒子が画像パターンに関係なく接触により第２担持体２に担持され、製版された版を画像形成に利用する際に画像上で斑点状の不良となったり、画像形成装置内で第２担持体２の版面に接触して配置される接触部材に粒子が巻き込まれ、接触部材の劣化に繋がる可能性があるためより確実に２層目以上の版粒子を除去できる方が望ましい。単層化装置１３については後述する。
【００４０】
また、図示しないが、単層化装置１３で除去された版粒子は装置内の廃棄容器などに回収して廃棄するのではなく、スクリュー部材や空気圧を利用した搬送部材を用いることにより、補給装置１４内の版粒子群に戻す構成にすることにより、版粒子をリサイクルし、廃棄される版粒子が少なくして版粒子の消費量を抑制することが可能である。
【００４１】
第２担持体２の表面材料は、上述のとおり第１の転移温度以上で軟化し、かつ粘着性を発現し、第１の転移温度以下で硬化し、粘着性を消失する樹脂（クールオフタイプ）であり、これらの硬度と粘着性の切り替えは可逆的に変化することが可能である。
【００４２】
単層粒子層１１ｂは、信号に従いサーマルヘッド３に加熱された部分は第２担持体２の表面に受け渡されて版粒子パターンを形成し、加熱されずにニップを通過した残留粒子層１１ｃは再度補給装置１４より版粒子を補給されて多層粒子層１１ａとなり次の版形成に使用される。
【００４３】
本例においては、版粒子を次の版形成に再利用する構成にしているが、第１担持体１の第２担持体２とのニップより回転下流側、かつ補給装置１４より回転上流側の位置で、単層の残留粒子層１１ｃを第１担持体１から除去するクリーニング機構を設けても良い。
【００４４】
第２担持体２は、例えば感応性粘着材料をベルト状の基材に塗布したものを用いることができる。
【００４５】
基材は、駆動ロール２１ａ，２１ｂとの吊架に耐えうる十分な強度を有し、サーマルヘッド３からの加熱に耐えうる十分な耐熱性を有し、第１担持体１と第２担持体２とのニップを通過中に印加された熱を上記感応性粘着材料に伝達し得る十分な伝熱性を有するものであればどのようなものでもよい。
【００４６】
第２担持体２は、本実施例のようにベルト状でなくとも、第１担持体１との接触面を随時切り替え可能な構成であればよいが、無端回転駆動体は比較的安定して駆動することが可能であり、新しい接触面を随時切り替えることが可能である。
【００４７】
また、無端回転駆動体としてドラム形状の担持体を第１担持体１に接触して設ける構成とすることも可能である。
【００４８】
なお、本発明の実施の形態に従う現像装置においては、第２担持体２は基材裏面からサーマルヘッド３で加熱し、表面の感応性粘着材料を温度変化させる必要がある。したがって、伝熱速度を高くするためには感応性粘着材料と基材とからなる第２担持体２は、より薄い形状である方が好ましく、強度を保つために基材が数ｍｍと厚いドラム形状よりも、基材が１ｍｍ以下で構成可能な無端ベルト形状の方がより好ましい。
【００４９】
サーマルヘッド３は、第２担持体２の第１担持体１とのニップ内で、第２担持体２表面の感応性粘着材料を第１の転移温度以上に加熱可能に設置された加熱装置で、図示しない制御装置からの信号に従い長手方向に部分的に加熱することができる。
【００５０】
一例として、本例では、第２担持体２の第１担持体１との接触面に対向した位置に第２担持体２の裏面に長手方向全面にわたって接触して配置したサーマルヘッドを用いる。
【００５１】
サーマルヘッド３は、長手方向に渡って第２担持体２の版として形成されるべき版形成部（非画像部）を加熱して熱潜像を生成する。一方、版として形成されない非版形成部（画像部）は加熱しないが、これを第２担持体２が駆動して第１担持体１との接触面が変わるたびに繰り返すことで第２担持体２の表面に版形成部のための熱潜像を実行する。後述するが版形成部は、非画像部となり、非版形成部が画像部となる。
【００５２】
なお、本例においては、加熱書込装置の一例として、サーマルヘッド３を用いる場合について説明するが、特にサーマルヘッドに限定されるものではなく、また、設置位置も第２担持体２の裏面に接触する位置に限定されるものではなく、版形成部を加熱する構成であれば特にその位置には限定されない。例えば、半導体レーザを使用して非接触で局所加熱を行っても良く、制御装置からの信号に従い第２担持体２の表面の感応性粘着材料を第１の転移温度以上に部分的に加熱する構成としてもよい。
【００５３】
以上の作用によって、第２担持体２の表面には制御信号に従ったサーマルヘッド３の加熱により版粒子の現像パターン（版粒子パターンとも称する）が形成されるが、ここで、第２担持体２表面の感応性粘着材料は第１の転移温度以上で粘着力を発現するだけでなく軟化もするため、版粒子は第１担持体１と第２担持体２との接触圧によって感応性粘着材料にめり込んだ状態となる。
【００５４】
さらに、第１担持体１と第２担持体２とのニップ通過後にはサーマルヘッド３による加熱は終了しているため、感応性粘着材料は冷却されて、第１の転移温度以下になる。このとき感応性粘着材料は、硬化によって表面にめり込んだ版粒子を固定担持する効果（アンカー効果）を有する。この感応性粘着材料の硬化による固定担持によって版粒子は第２担持体２に強固に固定されるため、画像形成時に版面に加わる様々なストレスによってもはがれ落ちることがなく、当初のパターンを維持したまま多数部の画像形成に利用可能となり、画像形成用の版として用いることができる。
【００５５】
具体的には、第２担持体２の表面と版粒子表面の、着色剤との親和性を異なるものとしておくことによって、第２担持体２上の版粒子パターンのあるところには着色剤を付着させ、版粒子パターンのないところには着色剤を付着させない。あるいは逆に版粒子パターンのあるところには着色剤を付着させず、版粒子パターンのないところに着色剤を付着させることによって、第２担持体２の版面上に版粒子パターンに従って色材のコントラストを形成することが可能になる。本例においては、一例として版粒子パターンのあるところには、着色剤を付着させず、版粒子パターンの無いところに着色剤を付着させる場合について説明する。
【００５６】
当該現像装置３０の構成により、第２担持体２の表面が加熱装置により、熱潜像が形成され、版粒子が付着する第１担持体１と接触することにより版粒子パターンが顕像化される。第２担持体２は、感応性粘着材料として強力な保持力を有するため当該版の堅牢性は高く、インク付与や繰り返し使用のストレスにも耐えうる強固な版を作製することが可能である。
【００５７】
次に、当該版にインクを付与して画像を形成する場合について説明する。
図３は、本発明の実施の形態に従う画像形成ユニット１００Ａの主要部の構成について説明する図である。
【００５８】
図３を参照して、本発明の実施の形態に従う画像形成ユニット１００Ａは、図２の構成と比較して、湿し水供給装置４と、インク供給装置５と、中間転写ローラ６と、第２担持体清掃器９とが第２担持体２の周囲に回転方向に沿ってさらに設けられている点が異なる。
【００５９】
また、中間転写ローラ６の周囲には、回転方向に沿って押圧ローラ８と、第２担持体清掃器９とがさらに設けられる。
【００６０】
なお、図示しないが第１担持体１は、第２担持体２から離間可能なように設けられており、離間状態とすることにより、第２担持体２の表面に形成された版を第１担持体１との接触によって乱すことを防ぐことが可能である。同じ画像を繰り返し印刷する場合には、新たな版を形成する必要がないので、第１担持体１を第２担持体２から離間状態とすることにより、第２担持体２に形成された版を第１担持体１との接触によって乱すことを防ぐことが可能である。
【００６１】
湿し水供給装置４は、湿し水供給ローラ４ａと、湿し水保持部４ｂと、図示しない湿し水供給ローラ清掃器とで構成されている。
【００６２】
湿し水供給ローラ４ａは、装置本体に対して回転可能な状態で保持されている。
湿し水保持部４ｂの中には湿し水供給ローラ４ａと十分接触する量の湿し水（オフセット印刷で使われているいわゆる湿し水と同様のもの）が保持されていて、図示しない湿し水補充器から適宜補充される。
【００６３】
湿し水供給ローラ４ａの表面は、表面に湿し水を保持できる程度の親水性になっていて、図の矢印の向きの回転方向に沿って、湿し水保持部４ｂ中の湿し水を表面に保持した後、第２担持体２と湿し水供給ローラ４ａのニップ部において第２担持体２表面に付着した版粒子に湿し水を含ませる。
【００６４】
第２担持体２の版粒子が付着していない部分は、第２担持体２表面が撥水性なので、湿し水はほとんど付着しない。
【００６５】
図示しない湿し水供給ローラ清掃器は、第２担持体２と湿し水供給ローラ４ａとのニップ部よりも、湿し水供給ローラ４ａの回転方向の下流側に設けられており、湿し水供給ローラ４ａの表面の付着物（インクなど）を取り除くことが可能である。
【００６６】
インク供給装置５は、インク供給ローラ５ａと、インク保持部５ｂと、インク規制ブレード５ｃとから構成されている。
【００６７】
インク供給ローラ５ａは、装置本体に対して回転可能な状態で保持されている。
インク保持部５ｂの中にはインク供給ローラ５ａと十分接触する量のインクが保持されていて、図示しないインク補充器から適宜補充される。
【００６８】
インクは、油性インクなど湿し水と混ざらない（湿し水を撥く）性質のインクを用いる。
【００６９】
インク供給ローラ５ａが図の矢印の向きの回転方向に沿って、インク保持部５ｂ中のインクを表面に保持した後、インク供給ローラ５ａに当接するインク規制ブレード５ｃによって適切な厚さ（２μｍ〜５０μｍ（より好ましくは４μｍ〜１０μｍ））のインク層がインク供給ローラ５ａ表面上に形成される。
【００７０】
このようにインク層を形成することによって、第２担持体２とインク供給ローラ５ａとのニップ部において、インクが第２担持体２表面上に適切量付着する。
【００７１】
このとき、第２担持体２表面の版粒子が付着した部分（非画像部）には湿し水が含まれているので、インクが付着することはなく、版粒子が付着していない部分（画像部）にのみインクが付着することになる。
【００７２】
中間転写ローラ６は、撥水性表面を持ち、第２担持体２と接触して、装置本体に対して回転可能な状態で保持されている。中間転写ローラ６が図の矢印の方向に回転するに従って、第２担持体２とのニップ部で、第２担持体２上に付着したインクが第２担持体２から中間転写ローラ６へと転写される。このとき、中間転写ローラ６表面が撥水性であるので湿し水はほとんど転写されない。
【００７３】
押圧ローラ８は、印刷時に用紙供給装置（図示しない）から供給される記録用紙７を、中間転写ローラ６と押圧ローラ８の間に挟むような位置で、装置本体に対して回転可能な状態で保持されている。これにより、中間転写ローラ６上に付着したインクが記録用紙７に転写される。このようにして印刷物を得ることができる。
【００７４】
第２担持体清掃器９は、超音波振動部９ａと、洗浄液保持部９ｂと図示しない超音波制御装置と図示しない超音波電源とからなる。
【００７５】
洗浄液保持部９ｂの中には第２担持体２と十分接触する量の洗浄液（液体であり装置の劣化を促進するようなものでなければ特に限定されないがここでは湿し水を使用する）が保持されていて、図示しない洗浄液補充器から適宜補充される。超音波振動部９ａは、洗浄液保持部９ｂに貯留された洗浄液を介して近接する第２担持体２表面に超音波を発振し、超音波洗浄装置の洗浄原理により第２担持体２の表面に、硬化した感応性粘着材料（クールオフタイプ）により固定担持された版粒子を洗浄除去する。
【００７６】
図示しない超音波電源は図示しない超音波制御装置に電力を供給し、超音波制御装置は、第２担持体２の清掃動作時に超音波振動部９ａに超音波振動を促す信号を発信する制御装置である。
【００７７】
第２担持体清掃器９は、第２担持体２に近接して、第２担持体２との接触状態と非接触状態（離間状態）とを切り替えるのが可能な状態で設けられている。同じ画像を繰り返し印刷する場合には、第２担持体清掃器９を第２担持体２に接触させず、そのまま第２担持体２を回転させる。そうすれば第２担持体２上に付着した版粒子が保持されたままとなり、そのまま同じ画像を印刷し続けることができる。印刷する画像を切り替える場合には、第２担持体清掃器９を第２担持体２に接触させて、第２担持体２の表面の付着物（版粒子、湿し水、インクなど）を除去する。当該処理により、第２担持体２上に新たな画像を形成することが可能となる。
【００７８】
図示しないが第２担持体清掃器９によって第２担持体２から除去した版粒子を第１担持体１の補給装置１４へと搬送する手段を設けるようにしても良い。当該手段によって版粒子を繰り返し使うことができ、消耗品を減らすことができる。この場合には、第２担持体清掃器９の中で、版粒子除去手段とその他の物を除去する手段とを設けて、版粒子のみ補給装置１４へ搬送するようにしても良い。
【００７９】
中間転写ローラ清掃器１０は、中間転写ローラ６に接触して保持されており、中間転写ローラ６の表面の付着物（記録用紙７に転写されずに残ったインクなど）を除去する。当該処理により、中間転写ローラ６に残ったインクが記録用紙７に転写されてしまい画像不良が生じることを防止することが可能である。
【００８０】
第２担持体２と中間転写ローラ６の周長、周速度が共に等しい場合は、第２担持体清掃器９を、中間転写ローラ６との接触状態と非接触状態とを切り替えるのが可能な状態で保持する。当該場合は、第２担持体２のインク付着部分と中間転写ローラ６のインク付着部分とが一致するので、中間転写ローラ６上にインクが残っていても、前記の不具合が発生することはない。
【００８１】
よって、同じ画像を繰り返し印刷する場合には、中間転写ローラ清掃器１０を中間転写ローラ６に接触させず、そのまま中間転写ローラ６を回転させることができる。印刷する画像を切り替える場合には、中間転写ローラ清掃器１０を中間転写ローラ６に接触させて中間転写ローラ６の表面の付着物（記録用紙７に転写されずに残ったインクなど）を除去する。
【００８２】
図４は、本発明の実施の形態に従う第２担持体２に形成された熱潜像を説明する図である。
【００８３】
図４を参照して、上述したようにサーマルヘッド３により、第２担持体２の感応性粘着材料の所定領域を加熱する。これによって、第２担持体２の表面に熱潜像１０１ａが形成される。
【００８４】
ここで、図４における熱潜像１０１ａは、第２担持体２の加熱された領域における感応性粘着材料の部分を示している。
【００８５】
図５は、本発明の実施の形態に従う第２担持体２の表面に形成された熱潜像の顕像化について説明する図である。
【００８６】
図５を参照して、上述したように第１担持体１と接触することにより、第１担持体１の表面に付着した版粒子が熱潜像１０１ａに付着し、熱潜像を顕像化する。この時点で、第２担持体２の表面において、版粒子１３１が付着した部分が非画像部となるように熱潜像１０１ａが形成される。
【００８７】
図６は、本発明の実施の形態に従う第２担持体２に付着した版粒子に湿し水を付加した状態を説明する図である。
【００８８】
図６を参照して、上述したように湿し水供給装置４を用いて、第２担持体２の表面に付着した版粒子１３１に湿し水を含ませて、湿し水を含んだ版粒子１３１ｗとする。第２担持体２の版粒子１３１が付着していない部分は、表面が撥水性なので、湿し水１４１はほとんど付着しない。
【００８９】
図７は、本発明の実施の形態に従うインク供給装置５により版粒子パターンにインクを供給した場合を説明する図である。
【００９０】
図７を参照して、上述したインク供給装置５により、インク１５１を第２担持体２の表面上に適切量付着させる。このとき、第２担持体２の表面の版粒子１３１ｗが付着した部分（非画像部）には湿し水が含まれているので、インク１５１が付着することはなく、版粒子１３１ｗが付着していない部分（画像部）にインク１５１が付着することになる。
【００９１】
図８は、本発明の実施の形態に従う記録用紙に転写する場合を説明する図である。
図８を参照して、図７で説明した第２担持体２の表面で版粒子パターンにより形成されたインク１５１（画像部）が中間転写ローラ６を介して記録用紙７に転写される。このようにして印刷物を得ることができる。
【００９２】
以上、本実施の形態における現像装置３０および画像形成ユニット１００Ａによれば、第２担持体２上に付着した版粒子１３１に湿し水１４１を含ませることで、第２担持体２上の版粒子１３１が付着していない部分にのみインク１５１を付着させている。このように、第２担持体２上の版粒子が付着していない部分（画像部）にインク１５１を付着させることで、版粒子（非画像部）が形成された現像パターン（版粒子パターン）を版として用いることが可能となり、印刷において安定した画質を得ることが可能となる。
【００９３】
そして、本発明の実施の形態に従う第２担持体２の表面には感応性粘着材料が用いられ、上述したように非画像部を構成する当該版粒子パターンの堅牢性は高く、インク付与や繰り返し使用のストレスにも耐えうる強固な版を作製することが可能である。
【００９４】
また、第２担持体２上の版粒子を取り除き、新たな現像パターンに応じた熱潜像を第２担持体２上に形成することで、異なる現像パターンを瞬時に形成することができることから、いわゆるバリアブル印刷も容易に実現することが可能となる。
【００９５】
また、第２担持体２上で版粒子を保持する力は表面一層における粘着力および粒子が食い込むことによるアンカー効果であるため、版が強固で大部数の印刷が可能であり、粒子がインクローラ表面に付着してインクが劣化することも防ぐことが可能である。
【００９６】
以上のように、本発明の実施の形態に従う画像形成装置は、従来のオフセットなどの製版装置に比べ簡単なプロセスで短時間に製版可能であり、版交換作業も不要であり、より短時間で画像形成が可能な画像形成装置を実現できる。また、一枚ごとに画像の書き換えを行えばバリアブル印刷機として使用することも可能である。
【００９７】
（単層化装置）
次に単層化装置について説明する。
【００９８】
サーマルヘッド３の加熱による第２担持体２表面への単層での版形成について簡単にモデル化して説明する。
【００９９】
図９は、本発明の実施の形態に従う版粒子が単層化している場合と多層化している場合の粘着について説明する図である。
【０１００】
図９（Ａ）を参照して、ここでは、版粒子が単層化されている場合が示されている。
版粒子は、第２担持体２と第１担持体１とのニップにおいて、第１担持体１への付着力１５ａと第２担持体２への付着力２２ａとを受けるが、付着力１５ａは版粒子を担持するため粘着力などで高く調整されているため付着力１５ａは付着力２２ａよりも強く、このためサーマルヘッド３で加熱されなかった非加熱部においては版粒子に働く吸引力は第２担持体２よりも第１担持体１の方が強く、版粒子は第１担持体１表面に付着したままニップを通過する。
【０１０１】
一方、サーマルヘッド３で加熱された加熱部においては、第２担持体２の表面の感応性粘着材料は第１の転移温度以上に加熱されて感応性粘着材料特性により粘着力２２ｂを発現する。
【０１０２】
これにより版粒子に働く吸引力は第２担持体２の方が第１担持体１よりも強くなり版粒子は第１担持体１から第２担持体２に受け渡され、第２担持体２に付着してニップを通過する。
【０１０３】
図９（Ｂ）を参照して、ここでは、第１担持体１と第２担持体２とのニップ部に版粒子が多層で存在する場合が示されている。
【０１０４】
ここでは一例として版粒子は３層である例について説明する。
簡単のために版粒子を第１担持体１に近い粒子から順に版粒子Ａ、版粒子Ｂ、版粒子Ｃとし、粒子間には凝集による粒子同士の付着力２２ｃが作用しているとする。
【０１０５】
サーマルヘッド３で加熱された加熱部においては、版粒子Ａには第１担持体１への付着力１５ａと版粒子Ｂへの付着力２２ｃとが作用し、付着力１５ａは十分強いために版粒子Ａは第１担持体１に付着したままニップを通過する。
【０１０６】
一方、版粒子Ｃは、第２担持体２の付着力２２ａと、感応性粘着材料が加熱により発現した粘着力２２ｂと、版粒子Ｂの付着力２２ｃとが作用し、第２担持体２の粘着力２２ｂは十分強いため版粒子Ｃは第２担持体２に受け渡されるが、ここで版粒子Ｂは、版粒子Ａの付着力２２ｃと版粒子Ｃとの付着力２２ｃとの作用を受け、実際の装置内ではそれぞれの付着力の微妙な差により、付着力の作用の強い版粒子に付着して従属することになる。
【０１０７】
つまり版粒子Ｃとの付着力が強ければ、版粒子Ｂは版粒子Ｃに付着して第２担持体２の表面に受け渡され、版粒子Ｃと版粒子Ｂとは第２担持体２表面に多層の現像パターンすなわち図９（Ｂ）のモデルでは２層の版粒子パターンを形成する。
【０１０８】
ここで、第２担持体２に形成された版粒子パターンが多層であると、最下層の第２担持体２に強く担持された粒子に比べ、２層目以上の粒子は粒子間の弱い凝集力で付着しているためはがれやすく、画像形成装置内で版として利用される際に第２担持体２に接触して配置される接触部材に２層目以上の粒子が巻き込まれ、接触部材の劣化につながる可能性がある。
【０１０９】
一方、非加熱部においては、本来非版形成部であるため、版粒子Ｃは第２担持体２に受け渡されず第１担持体１に付着したまま、図９（Ｂ）のモデルでは第１担持体１に付着した版粒子Ａに付着した版粒子Ｂにさらに付着したままニップを通過するべきである。
【０１１０】
しかしながら、ここで版粒子Ｃに対しては第２担持体２の付着力２２ａと版粒子Ｂの付着力２２ｃとが作用し、付着力２２ｃによって第１担持体１に吸引されていることになるが、実際には凝集力に起因する付着力２２ｃは粒子同士の位置関係によりばらつきも多く、付着力２２ｃが弱い位置において版粒子Ｃは付着力２２ａにより第２担持体２に受け渡される可能性がある。
【０１１１】
以上の作用により第２担持体２の非版形成部に版粒子が受け渡されて版を形成してしまうと、製版された版を画像形成に利用する際に画像上で斑点状の画像不良になる可能性がある。
【０１１２】
したがって、補給装置１４で形成された多層粒子層１１ａは第１担持体１と第２担持体２とのニップ部に到達するまでに単層化装置１３により単層化されることが望ましく、単層化された単層粒子層１１ｂに局所的な多層部が残留しないことが望ましい。
【０１１３】
なお、第１担持体１に単層化装置１３を設けずに第２担持体２とのニップに多層粒子層１１ａを通過させて、第２担持体２上で現像パターンとして付着した版粒子を除去することも可能であるが、版粒子間の凝集力で付着している２層目以上の粒子を凝集力に逆らって単層化するのに対し、版粒子の第２担持体２への付着力に逆らって現像パターンとして付着した版粒子を除去するには大きなエネルギーが必要となるため、第１担持体１に単層化装置１３を設ける方が望ましい。
【０１１４】
図１０は、本発明の実施の形態に従う単層化装置１３の具体的構成について説明する図である。
【０１１５】
図１０（Ａ）を参照して、ここでは、単層化装置１３ａの構成が示されている。
具体的には、単層化装置１３ａは、第１担持体１の版粒子への付着力よりも弱く、版粒子間の凝集力よりも強い粘着力を有し、第１担持体１に接触して従動する複数の粘着ロール１３ａ１と、各粘着ロール１３ａ１に除去回収された版粒子を掻きとるブレード材１３ａ２と、各ブレード材１３ａ２に掻き取られた版粒子を回収する回収槽１３ａ３とで構成されている。
【０１１６】
なお、本例においては、粘着ロール１３ａ１を２個設けた例について説明しているが、粘着ロール１３ａ１の数はこれに限るものではなく、粘着ロール１３ａ１が多いほど部分的に２層目以上の版粒子が残留することを抑制することが可能であり、より確実に単層化することが可能である。
【０１１７】
粘着ロール１３ａ１は、多層粒子層の最上層の粒子群に接触するが、この時粘着ロール１３ａ１の粘着力は版粒子間の凝集力よりも強いため、第１担持体１と粘着ロール１３ａ１との間のニップ部の下流側で上層の粒子群は粘着力により粘着ロール１３ａ１に除去回収される。
【０１１８】
一方、粘着ロール１３ａ１の粘着力は、粘着ロール１３ａ１の表面と接触した版粒子にしか作用しないため、第１担持体１上の下層の版粒子はニップ突入前よりも薄い粒子層となって通過する。以上の作用を粘着ロール１３ａ１の数だけ複数回繰り返すことにより、多層粒子層は薄層化されていき単層になる。第１担持体１上の単層粒子層に粘着ロール１３ａ１が接触して粘着力が作用しても、粘着ロール１３ａ１の粘着力は第１担持体１の版粒子への付着力よりも弱いため、単層粒子層の版粒子は粘着ロール１３ａ１に除去回収されることなくニップを通過できる。以上の作用により多層粒子層は単層粒子層に単層化される。
【０１１９】
図１０（Ｂ）を参照して、ここでは、別の単層化装置１３ｂの構成が示されている。
具体的には、単層化装置１３ｂは、空気流を利用した単層化装置であり、第１担持体１表面に近接した筒などの中空の形状をしたダクト吸引部１３ｂ１と、ダクト吸引部１３ｂ１に接続されたフィルタ１３ｂ２と、フィルタ１３ｂ２を介してダクト吸引部１３ｂ１から吸引する気流を発生させる気流発生装置１３ｂ３とで構成されている。
【０１２０】
気流発生装置１３ｂ３は、例えば電力により回転駆動するファンなどで構成され、ダクト吸引部１３ｂ１から空気を吸引し例えば機外に放出する気流を発生させる。ダクト吸引部１３ｂ１の近傍では上記気流によりダクト吸引部１３ｂ１に向かって吸引力が発生し、多層粒子層の２層目以上の版粒子はダクト吸引部１３ｂ１に吸引される。吸引された版粒子は接続されたフィルタ１３ｂ２にて回収されることで、気流発生装置１３ｂ３に到達して気流発生装置１３ｂ３の故障の原因になったり、気流発生装置１３ｂ３を通過して機外等に放出されることがない。
【０１２１】
第１担持体１の表面で版粒子に作用する気流による吸引力としては、版粒子間の凝集力より大きく第１担持体１の版粒子との付着力より小さければよく、ダクト形状や装置構成に従って気流発生装置１３ｂ３で発生させる気流の強度を調整すればよい。例えば電力により回転駆動するファンであれば、ファンの回転翼のサイズや形状、回転速度などを適切に設定することにより可能である。以上の作用により多層粒子層は単層粒子層に単層化される。
【０１２２】
図１０（Ｃ）を参照して、ここでは、さらに別の単層化装置１３ｃの構成が示されている。
【０１２３】
具体的には、単層化装置１３ｃは、振動を利用した単層化装置であり、第１担持体１に当接し超音波振動することで多層粒子層を除去する振動ブレード１３ｃ１と、振動ブレード１３ｃ１を振動させる超音波振動を発生させる超音波振動装置１３ｃ３と、超音波振動装置１３ｃ３に電力を供給する電源１３ｃ４と、振動ブレード１３ｃ１によって除去された版粒子を回収する回収槽１３ｃ２とで構成されている。
【０１２４】
多層粒子層を形成する版粒子は振動ブレード１３ｃ１により超音波振動を印加されることにより振動し、接触して凝集力で付着していた粒子同士が振動により瞬間的に離間することで付着力を失うことを利用して２層目以上の版粒子を除去する。最下層の版粒子は、粒子間の凝集力よりも強い付着力で第１担持体１に接触して担持されているため、振動を印加されても瞬間的な離間が発生せず除去されない。
【０１２５】
以上の作用により多層粒子は単層化されるが、多層粒子層に超音波振動を印加する接触部材は必ずしもブレード形状である必要はなく、発生した超音波振動を効率よく粒子群に伝達できるものであれば特に限定されない。以上のような単層化装置１３により多層粒子層を単層化して単層粒子層にすることが可能である。すなわち、第２担持体２に形成された版粒子パターンが多層で形成されている場合、上述したように第２担持体２に接触する湿し水供給装置４の湿し水供給ローラ４ａ、インク供給装置５のインク供給ローラ５ａに２層目以上の版粒子が付着して取り込まれてしまい、各ローラの劣化や湿し水保持部４ｂ、インク保持部５ｂの汚染が発生する不具合が起こる可能性があるが、第１担持体１上で版粒子は単層化され、第２担持体２に単層化された版粒子パターンが形成されるため上記の不具合を抑制することが可能である。
【０１２６】
（変形例）
本発明の実施の形態の変形例に従う現像装置の構成について説明する。
【０１２７】
本発明の実施の形態の変形例に従う現像装置は、第１担持体１の表面の粘着性材料を変更する。具体的には、第１担持体１の表面に温度によって硬度と粘着力を変化させる感応性粘着材料を設ける。より具体的には第１担持体１の表面材料は、第２の転移温度以下で粘着性を有し、第２の転移温度以上で粘着性を消失または低減する樹脂（ウォームオフタイプ）を用いる。
【０１２８】
また、第２担持体２表面の感応性粘着材料（クールオフタイプ）が第１の転移点以上で発現する粘着力は、第１担持体１表面の感応性粘着材料（ウォームオフタイプ）が第２の転移点以上で粘着性を消失または低減された時の粘着力よりも大きいものを用いる。
【０１２９】
その他の点については、図２等で説明したのと基本的に同様である。
具体的には、補給装置１４から補給される版粒子を第１担持体１は表面の感応性粘着材料の粘着力により粘着し、第１担持体１の回転で発生する機内風や遠心力によって版粒子を脱落させるようなことがなく担持でき、多層粒子層１１ａを形成する。多層粒子層１１ａは上記で説明したのと同様に単層化装置１３により単層化され単層粒子層１１ｂを形成する。
【０１３０】
単層粒子層１１ｂは、第１担持体１と第２担持体２とのニップ部にてサーマルヘッド３の加熱により信号に応じて第１担持体１から第２担持体２へ受け渡されるが、このときサーマルヘッド３は第２担持体２の表面の感応性粘着材料を第１の転移点以上に加熱して粘着力を発現させるだけでなく、第１担持体１表面の感応性粘着材料を第２の転移点以上に加熱して粘着力を低減させ版粒子を受渡しさせる。
【０１３１】
図１１は、本発明の実施の形態の変形例に従う版粒子の粘着を説明する図である。
図１１を参照して、版粒子は、第２担持体２と第１担持体１とのニップにおいて第１担持体１への付着力１６ａと第２担持体２への付着力２２ａとを受ける。
【０１３２】
一方で、図９の構成においては、第１担持体１の付着力１５ａは版粒子を担持するため粘着力などで高く調整されており、付着力１５ａは付着力２２ａよりも強かったのに対し、本発明の実施の形態の変形例に従う構成においては、第１担持体１の表面は第２担持体２の表面と同等の感応性粘着材料であるため付着力１６ａと付着力２２ａとは同等であるものとする。
【０１３３】
サーマルヘッド３で加熱されなかった非加熱部においては第１担持体１の表面の感応性粘着材料（ウォームオフタイプ）は第２の転移温度以下であるため付着力１６ａとは別に粘着力１６ｂを有する。
【０１３４】
このため版粒子に働く吸引力は第２担持体２よりも第１担持体１の方が強く、版粒子は第１担持体１表面に付着したままニップを通過する。
【０１３５】
一方、サーマルヘッド３で加熱された加熱部においては、第２担持体２の表面の感応性粘着材料は第１の転移温度以上に加熱されて材料特性により付着力２２ａとは別に粘着力２２ｂを発現する。そして、第１担持体１表面の感応性粘着材料は、第２の転移温度以上に加熱されて材料特性により粘着力１６ｂが低減されて、弱い粘着力１６ｃとなる。
【０１３６】
第２担持体２の表面の感応性粘着材料（クールオフタイプ）において、第１の転移温度以上で発現する粘着力２２ｂは、第１担持体１表面の感応性粘着材料（ウォームオフタイプ）が第２の転移温度以上で粘着性を消失または低減された時の粘着力１６ｃよりも大きく設定されている。したがって、版粒子に働く吸引力は第２担持体２の方が第１担持体１よりも強くなり版粒子は第１担持体１から第２担持体２に受け渡されて第２担持体２表面で版を形成する。
【０１３７】
上記の実施の形態に従う現像装置３０では非加熱部つまりは画像部を形成する位置の版粒子は第１担持体１の版粒子への付着力１５ａが第２担持体２の版粒子への付着力２２ａよりも強いことで第１担持体１に担持されたままニップを通過するが、装置内の誤差などにより誤って版粒子が第２担持体２に受け渡されて画像部を形成する位置に版粒子が付着してしまうことも考えられる。
【０１３８】
一方で、本発明の実施の形態の変形例に従う現像装置では第１担持体１表面にも粘着力を可逆的に変化可能な感応性粘着材料を設けたために、第１担持体１の版粒子への吸引力が可変であり設定が容易なだけでなく、装置内の誤差などがあっても画像部に版粒子が付着してしまったり非画像部に版粒子が付着しないという不具合をさらに抑制することが可能である。
【０１３９】
本発明の実施の形態の変形例に従う現像装置は、第１担持体１表面に第２の転移温度以下で粘着性を有し、第２の転移温度以上で粘着性を消失または低減する感応性粘着材料（ウォームオフタイプ）を設け、さらには第２担持体２の表面の感応性粘着材料（クールオフタイプ）において、第１の転移点以上で発現する粘着力が、第１担持体１表面の感応性粘着材料（ウォームオフタイプ）において、第２の転移点以上で粘着性を消失または低減された時の粘着力よりも大きくすることにより、機内風や遠心力によって版粒子を脱落させるようなことがなく、かつ装置内の誤差などがあっても画像部に版粒子が付着してしまったり、あるいは非画像部に版粒子が付着しないという不具合を防止することが可能である。
【０１４０】
第１担持体１の表面の感応性粘着材料は、例えばニッタ株式会社のウォームオフインテリマーテープを用いることが可能である。ウォームオフインテリマーテープは転移温度以上では結晶状態、転移温度以下では非結晶状態と状態変化するため、結晶状態では硬化した状態で粘着力を有し、非結晶状態では軟化した状態となり粘着力を発現する。
【０１４１】
インテリマーテープの転移温度は３０〜５０（℃）の範囲で設定可能で、粘着力と硬度は温度により可逆的に変化し、再び転移温度以下とすることで粘着力は設定粘着力まで高められる。この結晶・非結晶状態の切り替えは約５（℃）の範囲で急峻に起こるため、上記の現像装置に利用可能である。本発明の現像装置で版粒子の供給部として使用する場合を考えると、転移温度は４０（℃）以上が望ましい。ウォームオフインテリマーの厚みは１０（μｍ）〜８０（μｍ）が好ましい。
【０１４２】
したがって、本発明の実施の形態の変形例に従う現像装置の構成によりインク付与や繰り返し使用のストレスにも耐える強固な版を作製することが可能である。
【０１４３】
なお、上記各実施の形態では、版粒子表面の親和性と上記第２担持体の親和性とを異ならせ、インクを版粒子の表面に付着させず、インクを版粒子が設けられていない第２担持体の表面に付着させる構成について説明しているが、インクを版粒子の表面に付着させ、インクを版粒子が設けられていない第２担持体の表面に付着させない構成を採用することも可能である。
【０１４４】
なお、本実施の形態における純水接触角は、従来の接触角測定装置により測定できる値であり、たとえば、測定対象物を構成する材料を用いて平板形状物を作製し、これに対し常温常湿（例えば、２０℃、５０％ＲＨ）で接触角計測定装置「接触角計ＣＡ−Ｖ（協和界面科学株式会社製）」を用い、５回測定し、その平均値から求めることができる。
【０１４５】
測定対象物Ａに対する測定対象物Ｂおよび測定対象物Ｃの親和性の大小関係を求める場合、純水接触角の値が近いか離れているかに基づいて判断することができる。また、測定対象物Ａが固体であって、測定対象物Ｂおよび測定対象物Ｃが液体であった場合、固体の測定対象物を構成する材料を用いて平板形状物を作製し、これに対し測定対象物Ｂおよび測定対象物Ｃそれぞれの測定対象物を滴下して接触角を測定し、これらの接触角を用いて親和性の大小関係を判断してもよい。なお、接触角が９０℃以上であれば、平板形状物は滴下した液体を撥いていると言うことができる。
【０１４６】
以上、本発明の実施の形態について説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【０１４７】
１  第１担持体、２  第２担持体、３  サーマルヘッド、４  湿し水供給装置、５  インク供給装置、６  中間転写ローラ、７  記録用紙、８  押圧ローラ、９  第２担持体清掃器、１０  中間転写ローラ清掃器、１３，１３ａ，１３ｂ，１３ｃ  単層化装置、１４  補給装置。
【図１】
2012131062.tif 000003
【図２】
2012131062.tif 000004
【図３】
2012131062.tif 000005
【図４】
2012131062.tif 000006
【図５】
2012131062.tif 000007
【図６】
2012131062.tif 000008
【図７】
2012131062.tif 000009
【図８】
2012131062.tif 000010
【図９】
2012131062.tif 000011
【図１０】
2012131062.tif 000012
【図１１】
2012131062.tif 000013